(57)【要約】【課題】大型化を抑えることが可能な双方向ＤＣ／ＡＣインバータを提供することを目的とする。【解決手段】可動式シャッタ３によりプラグ５５がカバーされマイクロスイッチ４から制御回路２に切替信号Ｓ１が出力されると、制御回路２が、双方向ＤＣ／ＡＣインバータ１から交流電力を出力する際のブリッジ回路３９及びブリッジ回路５１の駆動を許可し、可動式シャッタ３によりアウトレット５６がカバーされると共にプラグ５５がカバーされなくなりマイクロスイッチ５から制御回路２に切替信号Ｓ２が出力されると、制御回路２が、双方向ＤＣ／ＡＣインバータ１から外部に交流電力が出力されないようにブリッジ回路３９及びブリッジ回路５１の駆動を禁止すると共に、バッテリ５２を充電する際のブリッジ回路４５の駆動を許可する。【選択図】図１
2007110857.tif 000002
【特許請求の範囲】
【請求項１】
バッテリに接続され、前記バッテリの充電時、外部の電源から入力される交流電力を直流電力に変換し前記バッテリに出力すると共に、当該双方向ＤＣ／ＡＣインバータの交流電力出力時、前記バッテリから得られる直流電力を交流電力に変換し外部の負荷に出力する電力変換手段と、
前記電力変換手段の動作を制御する制御手段と、
前記電源と前記電力変換手段とを電気的に接続するためのプラグと、
前記負荷と前記電力変換手段とを電気的に接続するためのアウトレットと、
少なくとも前記プラグをカバーすることにより前記電源と前記電力変換手段との電気的な接続を禁止する禁止部材と、
前記禁止部材により前記プラグがカバーされているか否かを検出する検出手段と、
を備え、
前記制御手段は、前記禁止部材により前記プラグがカバーされていないことを前記検出手段が検出すると、前記電力変換手段の交流電力出力動作を禁止する、
ことを特徴とする双方向ＤＣ／ＡＣインバータ。
【請求項２】
請求項１に記載の双方向ＤＣ／ＡＣインバータであって、
前記禁止部材は、前記プラグをカバーしていないとき前記アウトレットをカバーする、
ことを特徴とする双方向ＤＣ／ＡＣインバータ。
【請求項３】
請求項１に記載の双方向ＤＣ／ＡＣインバータであって、
前記検出手段は、前記禁止部材により前記プラグがカバーされていないことを検出すると、その旨を示す切替信号を出力するマイクロスイッチであり、
前記制御手段は、前記切替信号が入力されると、前記電力変換手段の交流電力出力動作を禁止する、
ことを特徴とする双方向ＤＣ／ＡＣインバータ。
【請求項４】
請求項１に記載の双方向ＤＣ／ＡＣインバータであって、
前記検出手段は、前記禁止部材により前記プラグがカバーされていないことを検出すると、その旨を示す切替信号を出力するフォトセンサであり、
前記制御手段は、前記切替信号が入力されると、前記電力変換手段の交流電力出力動作を禁止する、
ことを特徴とする双方向ＤＣ／ＡＣインバータ。
【請求項５】
請求項１〜４の何れか１項に記載の双方向ＤＣ／ＡＣインバータであって、
前記アウトレットは、複数である、
ことを特徴とする双方向ＤＣ／ＡＣインバータ。
【請求項６】
請求項１〜５の何れか１項に記載の双方向ＤＣ／ＡＣインバータであって、
前記プラグ及び前記アウトレットは、それぞれ、異なる筐体に設けられている、
ことを特徴とする双方向ＤＣ／ＡＣインバータ。
【請求項７】
請求項１〜６の何れか１項に記載の双方向ＤＣ／ＡＣインバータであって、
前記禁止部材は、スライド式のシャッタまたは扉式の蓋である、
ことを特徴とする双方向ＤＣ／ＡＣインバータ。
【請求項８】
請求項１に記載の双方向ＤＣ／ＡＣインバータであって、
前記制御手段は、前記禁止部材により前記プラグがカバーされていないことを前記検出手段が検出すると、前記電力変換手段の直流電力出力動作を許可する、
ことを特徴とする双方向ＤＣ／ＡＣインバータ。
【発明の詳細な説明】
【技術分野】
【０００１】
本発明は、双方向ＤＣ／ＡＣインバータに関し、特に、バッテリの充電動作と交流電力出力動作の切替え制御に関する。
【背景技術】
【０００２】
図３は、既存の双方向ＤＣ／ＡＣインバータを示す図である。
図３に示す双方向ＤＣ／ＡＣインバータ３０は、コイル３１、３２とコンデンサ３３とからなるフィルタ３４と、４つのスイッチング素子３５〜３８により構成されフィルタ３４に接続されるブリッジ回路３９と、４つのスイッチング素子４１〜４４により構成されブリッジ回路３９にコンデンサ４０を介して接続されるブリッジ回路４５と、４つのスイッチング素子４７〜５０により構成されブリッジ回路４５にトランス４６を介して接続されるブリッジ回路５１と、ブリッジ回路５１とバッテリ５２との間に設けられるコンデンサ５３及びコイル５４と、プラグ５５と、アウトレット５６と、バッテリ５２の充電時フィルタ３４を介してブリッジ回路３９とプラグ５５とを電気的に接続すると共に、双方向ＤＣ／ＡＣインバータ３０の交流電力出力時フィルタ３４を介してブリッジ回路３９とアウトレット５６とを電気的に接続するリレー５７とを備えて構成されている。なお、スイッチング素子３５〜３８、スイッチング素子４１〜４４、及びスイッチング素子４７〜５０は、例えば、ＩＧＢＴ（Ｉｎｓｕｌａｔｅｄ  Ｇａｔｅ  Ｂｉｐｏｌａｒ  Ｔｒａｎｓｉｓｔｏｒ）であり、各スイッチング素子にはダイオードが並列接続される。また、プラグ５５は、バッテリ５２の充電時、外部の電源５８が備えるアウトレット５９と接続されるものとする。また、アウトレット５６は、双方向ＤＣ／ＡＣインバータ３０の交流電力出力時、外部の負荷６０が備えるプラグ６１と接続されるものとする。
【０００３】
上記双方向ＤＣ／ＡＣインバータ３０は、バッテリ５２を充電する場合、ブリッジ回路４５のスイッチング素子４１、４４とスイッチング素子４２、４３とを交互にオン、オフさせる。すなわち、バッテリ５２が充電される場合、電源５８からアウトレット５９、プラグ５５、リレー５７、及びフィルタ３４を介してブリッジ回路３９に入力される交流電力は、ブリッジ回路３９のスイッチング素子３５〜３８に並列接続されるダイオードにより整流されると共にコンデンサ４０により平滑され直流電力に変換される。次に、その直流電力は、ブリッジ回路４５により交流電力に変換されトランス４６を介してブリッジ回路５１に出力される。次に、その交流電力は、ブリッジ回路５１のスイッチング素子４７〜５０に並列接続されるダイオードにより整流されると共にコンデンサ５３により平滑され直流電力に変換される。そして、その直流電力は、コイル５４を介してバッテリ５２に供給される。
【０００４】
また、上記双方向ＤＣ／ＡＣインバータ３０は、負荷６０に交流電力を供給する場合、ブリッジ回路５１のスイッチング素子４７、５０とスイッチング素子４８、４９とを交互にオン、オフさせると共に、ブリッジ回路３９のスイッチング素子３５、３８とスイッチング素子３６、３７とを交互にオン、オフさせる。すなわち、双方向ＤＣ／ＡＣインバータ３０から負荷６０に交流電力が供給される場合、バッテリ５２から得られる直流電力は、ブリッジ回路５１により交流電力に変換されトランス４６を介してブリッジ回路４５に出力される。次に、その交流電力は、ブリッジ回路４５のスイッチング素子４１〜４４に並列接続されるダイオードにより整流されると共にコンデンサ４０により平滑され直流電力に変換される。そして、その直流電力は、ブリッジ回路３９により交流電力に変換されフィルタ３４、リレー５７、アウトレット５６、及びプラグ６１を介して負荷６０に供給される。
【０００５】
このように、上記双方向ＤＣ／ＡＣインバータ３０は、バッテリ５２の充電時、ブリッジ回路４５を駆動し、交流電力出力時、ブリッジ回路３９及びブリッジ回路５１を駆動する（例えば、特許文献１参照）。
【特許文献１】特開２００１−３７２２６号公報
【発明の開示】
【発明が解決しようとする課題】
【０００６】
しかしながら、上記双方向ＤＣ／ＡＣインバータ３０は、バッテリ５２の充電時の入力電流、または交流電力出力時の出力電流がリレー５７にそのまま流れるため、大電流用の体格の大きなリレー５７を用意する必要があり双方向ＤＣ／ＡＣインバータ３０が大型化するという問題があった。
【０００７】
そこで、本発明では、大型化を抑えることが可能な双方向ＤＣ／ＡＣインバータを提供することを目的とする。
【課題を解決するための手段】
【０００８】
上記の課題を解決するために本発明では、以下のような構成を採用した。
すなわち、本発明の双方向ＤＣ／ＡＣインバータは、バッテリに接続され、前記バッテリの充電時、外部の電源から入力される交流電力を直流電力に変換し前記バッテリに出力すると共に、当該双方向ＤＣ／ＡＣインバータの交流電力出力時、前記バッテリから得られる直流電力を交流電力に変換し外部の負荷に出力する電力変換手段と、前記電力変換手段の動作を制御する制御手段と、前記電源と前記電力変換手段とを電気的に接続するためのプラグと、前記負荷と前記電力変換手段とを電気的に接続するためのアウトレットと、少なくとも前記プラグをカバーすることにより前記電源と前記電力変換手段との電気的な接続を禁止する禁止部材と、前記禁止部材により前記プラグがカバーされているか否かを検出する検出手段とを備え、前記制御手段は、前記禁止部材により前記プラグがカバーされていないことを前記検出手段が検出すると、前記電力変換手段の交流電力出力動作を禁止することを特徴とする。
【０００９】
これにより、プラグとアウトレットとを電気的に直接接続しても外部から双方向ＤＣ／ＡＣインバータに入力される交流電力と双方向ＤＣ／ＡＣインバータから外部に出力される交流電力とが重なることを防ぐことができるので、大電流用の大型のリレーを使用する必要がなくなる。従って、双方向ＤＣ／ＡＣインバータが大型化することを抑えることができる。
【００１０】
また、上記禁止部材は、前記プラグをカバーしていないとき前記アウトレットをカバーするように構成してもよい。
また、上記検出手段は、前記禁止部材により前記プラグがカバーされていないことを検出すると、その旨を示す切替信号を出力するマイクロスイッチであり、前記制御手段は、前記切替信号が入力されると、前記電力変換手段の交流電力出力動作を禁止するように構成してもよい。
【００１１】
また、上記検出手段は、前記禁止部材により前記プラグがカバーされていないことを検出すると、その旨を示す切替信号を出力するフォトセンサであり、前記制御手段は、前記切替信号が入力されると、前記電力変換手段の交流電力出力動作を禁止するように構成してもよい。
【００１２】
また、上記アウトレットは、複数であってもよい。
また、上記プラグ及び上記アウトレットは、それぞれ、異なる筐体に設けられていてもよい。
【００１３】
また、上記禁止部材は、スライド式の蓋または扉式の蓋であってもよい。
また、上記制御手段は、前記禁止部材により前記プラグがカバーされていないことを前記検出手段が検出すると、前記電力変換手段の直流電力出力動作を許可するように構成してもよい。
【発明の効果】
【００１４】
本発明によれば、双方向ＤＣ／ＡＣインバータの大型化を抑えることができる。
【発明を実施するための最良の形態】
【００１５】
以下、本発明の実施形態を図面を用いて説明する。
図１（ａ）は、本発明の実施形態の双方向ＤＣ／ＡＣインバータを示す図である。なお、図３に示す構成と同じ構成には同じ符号を付している。
【００１６】
図１（ａ）に示す双方向ＤＣ／ＡＣインバータ１は、フィルタ３４と、ブリッジ回路３９と、コンデンサ４０と、ブリッジ回路４５と、トランス４６と、ブリッジ回路５１と、コンデンサ５３と、コイル５４と、プラグ５５と、アウトレット５６と、バッテリ５２の充電時にスイッチング素子４１〜４４を駆動し、双方向ＤＣ／ＡＣインバータ１の交流電力出力時にスイッチング素子３５〜３８及びスイッチング素子４７〜５０を駆動する制御回路２（制御手段）と、矢印Ａ方向にスライド可能でありプラグ５５またはアウトレット５６の一方をカバーする可動式シャッタ３（禁止部材）と、可動式シャッタ３によりプラグ５５がカバーされているか否かを検出するマイクロスイッチ４（検出手段）と、可動式シャッタ３によりアウトレット５６がカバーされているか否かを検出するマイクロスイッチ５（検出手段）とを備えて構成されている。なお、プラグ５５及びアウトレット５６は、筐体６に設けられているものとする。また、プラグ５５及びアウトレット５６以外にもフィルタ３４やブリッジ回路３９などその他の回路を筐体６に設けてもよい。
【００１７】
また、特許請求の範囲に記載される電力変換手段は、例えば、フィルタ３４、ブリッジ回路３９、コンデンサ４０、ブリッジ回路４５、トランス４６、ブリッジ回路５１、コンデンサ５３、及びコイル５４により構成される。また、スイッチング素子３５〜３８、スイッチング素子４１〜４４、及びスイッチング素子４７〜５０は、ボディダイオードを有するＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）により構成されてもよい。また、ブリッジ回路３９、ブリッジ回路４５、またはブリッジ回路５１は、２つのスイッチング素子を備えるハーフブリッジ型のブリッジ回路により構成されてもよい。
【００１８】
図１（ｂ）は、図１（ａ）に示す筐体６を矢印Ｂ方向から見た図である。
図１（ｂ）に示すように、ユーザにより可動式シャッタ３がスライドされプラグ５５がカバーされることによりプラグ５５とアウトレット５９とが接続できなくなると共にアウトレット５６とプラグ６１とが接続できるようになると、可動式シャッタ３がマイクロスイッチ４に接触しマイクロスイッチ４から切替信号Ｓ１が制御回路２に出力される。制御回路２は、切替信号Ｓ１が入力されると、双方向ＤＣ／ＡＣインバータ１から外部に交流電力を出力する際のブリッジ回路３９及びブリッジ回路５１の駆動を許可する。このとき、ユーザによりアウトレット５６とプラグ６１とが接続され、かつ、ユーザによる交流電力出力指示があると、双方向ＤＣ／ＡＣインバータ１は、バッテリ５２から得られる直流電力を交流電力に変換して負荷６０に供給する。
【００１９】
また、ユーザにより可動式シャッタ３がスライドされアウトレット５６がカバーされることによりアウトレット５６とプラグ６１とが接続できなくなると共にプラグ５５とアウトレット５９とが接続できるようになると、可動式シャッタ３がマイクロスイッチ５に接触しマイクロスイッチ５から切替信号Ｓ２が制御回路２に出力される。制御回路２は、切替信号Ｓ２が入力されると、双方向ＤＣ／ＡＣインバータ１から外部に交流電力が出力されないようにブリッジ回路３９及びブリッジ回路５１の駆動を禁止すると共に、バッテリ５２を充電する際のブリッジ回路４５の駆動を許可する。このとき、ユーザによりプラグ５５とアウトレット５９とが接続され、かつ、ユーザによるバッテリ５２の充電指示があると、双方向ＤＣ／ＡＣインバータ１は、電源５８から出力される交流電力を直流電力に変換してバッテリ５２に供給する。なお、制御回路２は、切替信号Ｓ２が入力されると、双方向ＤＣ／ＡＣインバータ１から外部に交流電力が出力されないようにブリッジ回路５１のみの駆動を禁止すると共に、バッテリ５２を充電する際のブリッジ回路４５の駆動を許可するようにしてもよい。
【００２０】
また、ユーザにより可動式シャッタ３がスライドされ可動式シャッタ３がマイクロスイッチ４とマイクロスイッチ５のどちらにも接触せず切替信号Ｓ１及び切替信号Ｓ２の何れもが制御回路２に入力されない場合、制御回路２は、双方向ＤＣ／ＡＣインバータ１から外部に交流電力が出力されないように少なくともブリッジ回路５１の駆動を禁止する。なお、この場合、制御回路２は、バッテリ５２を充電する際のブリッジ回路４５の駆動を許可してもよい。
【００２１】
このように、上記双方向ＤＣ／ＡＣインバータ１は、信号用の小型のマイクロスイッチ４、５を使用することによりバッテリ５２の充電動作と双方向ＤＣ／ＡＣインバータ１の交流電力出力動作を切り替えているので、リレーなどを介さずプラグ５５とアウトレット５６とを電気的に直接接続しても電源５８から双方向ＤＣ／ＡＣインバータ１に入力される交流電力と双方向ＤＣ／ＡＣインバータ１から外部に出力される交流電力とが重なることを防ぐことができるので、大電流用の大型のリレーを使用する必要がなくなる。これにより、双方向ＤＣ／ＡＣインバータ１が大型化することを抑えることができる。
【００２２】
また、上記双方向ＤＣ／ＡＣインバータ１は、プラグ５５がカバーされていないときマイクロスイッチ５から出力される切替信号Ｓ２により少なくともブリッジ回路５１の駆動を禁止する構成であるので、プラグ５５がカバーされていないときの双方向ＤＣ／ＡＣインバータ１の交流電力出力を確実に回避することができる。
【００２３】
なお、上記実施形態では、マイクロスイッチ４、５によりプラグ５５、アウトレット５６がカバーされているか否かを検出する構成であるが、フォトセンサを使用してプラグ５５、アウトレット５６がカバーされているか否かを検出してもよい。
【００２４】
図２（ａ）は、フォトセンサを使用して可動式シャッタ３によりプラグ５５、アウトレット５６がカバーされているか否かを検出する場合の実施例を示す図である。なお、図１（ｂ）に示す構成と同じ構成には同じ符号を付している。
【００２５】
図２（ａ）に示すように、ユーザにより可動式シャッタ３がスライドされプラグ５５がカバーされると、フォトセンサ７（検出手段）の発光部８の光が透明な樹脂で形成された樹脂窓９を介して可動式シャッタ３に反射しその反射光が再び樹脂窓９を介してフォトセンサ７の受光部１０に入りフォトセンサ７から切替信号Ｓ１が制御回路２に出力される。制御回路２は、切替信号Ｓ１が入力されると、双方向ＤＣ／ＡＣインバータ１から外部に交流電力を出力する際のブリッジ回路３９及びブリッジ回路５１の駆動を許可する。なお、ユーザにより可動式シャッタ３がスライドされ発光部８の光が可動式シャッタ３に反射しなくなり光が受光部１０に入力されなくなると、フォトセンサ７から制御回路２に切替信号Ｓ２が出力され双方向ＤＣ／ＡＣインバータ１から外部に交流電力が出力されないようにブリッジ回路３９及びブリッジ回路５１の駆動が禁止されるように構成してもよい。
【００２６】
また、ユーザにより可動式シャッタ３がスライドされアウトレット５６がカバーされると、フォトセンサ１１（検出手段）の発光部１２の光が樹脂窓９を介して可動式シャッタ３に反射しその反射光が再び樹脂窓９を介してフォトセンサ１１の受光部１３に入りフォトセンサ１１から切替信号Ｓ２が制御回路２に出力される。制御回路２は、切替信号Ｓ２が入力されると、双方向ＤＣ／ＡＣインバータ１から外部に交流電力が出力されないようにブリッジ回路３９及びブリッジ回路５１の駆動を禁止すると共に、バッテリ５２を充電する際のブリッジ回路４５の駆動を許可する。
【００２７】
なお、フォトセンサ７は、発光部８から出力される赤外線が可動式シャッタ３に反射して受光部１０に入力されると、切替信号Ｓ１を出力するように構成してもよい。また、同様に、フォトセンサ１１は、発光部１２から出力される赤外線が可動式シャッタ３に反射して受光部１３に入力されると、切替信号Ｓ２を出力するように構成してもよい。この場合、樹脂窓９は、赤外線を透過させる樹脂により構成される。
【００２８】
また、図２（ａ）に示すように、可動式シャッタ３の両端にそれぞれ窓掃除用ブラシ１４を設け、可動式シャッタ３がスライドされる度に、樹脂窓９の表面が窓掃除用ブラシ１４により掃除されるように構成してもよい。これにより、樹脂窓９の表面の汚れによるフォトセンサ７、１１の誤動作を少なくすることができる。
【００２９】
このように、フォトセンサ７、１１を使用して双方向ＤＣ／ＡＣインバータ１を構成しても、リレーなどを介すことなく電源５８から双方向ＤＣ／ＡＣインバータ１に入力される交流電力と双方向ＤＣ／ＡＣインバータ１から外部に出力される交流電力とが重なることを防ぐことができるので、大電流用の大型のリレーを使用する必要がなくなり、双方向ＤＣ／ＡＣインバータ１が大型化することを抑えることができる。
【００３０】
また、このように、フォトセンサ７、１１を使用して双方向ＤＣ／ＡＣインバータ１を構成する場合は、フォトセンサ７、１１が可動式シャッタ３と非接触であり磨耗による不具合が発生する心配がないため、上述のように、マイクロスイッチ４、５を使用して双方向ＤＣ／ＡＣインバータ１を構成する場合に比べて、寿命を延ばすことができる。
【００３１】
また、上記実施形態では、可動式シャッタ３によりプラグ５５またはアウトレット５６をカバーする構成であるが、可動式シャッタ３によりプラグ５５のみをカバーするようにしてもよい。
【００３２】
図２（ｂ）は、可動式シャッタ３によりプラグ５５のみをカバーする場合の実施例を示す図である。なお、図１（ｂ）に示す構成と同じ構成には同じ符号を付している。また、可動式シャッタ３は、矢印Ｃ方向にスライド可能とする。また、図２（ｃ）は、可動式シャッタ３によりプラグ５５のみをカバーする場合において、プラグ５５とアウトレット５９とが接続され、かつ、アウトレット５６とプラグ６１とが接続されたときの電源５８から出力される電流の流れ（矢印Ｄ）を示す図である。なお、図１（ａ）に示す構成と同じ構成には同じ符号を付している。
【００３３】
図２（ｂ）に示すように、ユーザにより可動式シャッタ３がスライドされプラグ５５がカバーされることによりプラグ５５とアウトレット５９とが接続できなくなると、可動式シャッタ３がマイクロスイッチ４に接触しマイクロスイッチ４から切替信号Ｓ１が制御回路２に出力される。制御回路２は、切替信号Ｓ１が入力されると、双方向ＤＣ／ＡＣインバータ１から外部に交流電力を出力する際のブリッジ回路３９及びブリッジ回路５１の駆動を許可する。
【００３４】
また、ユーザにより可動式シャッタ３がスライドされプラグ５５がカバーされなくなると、可動式シャッタ３がマイクロスイッチ４と非接触となりマイクロスイッチ４から切替信号Ｓ２が制御回路２に出力される。制御回路２は、切替信号Ｓ２が入力されると、双方向ＤＣ／ＡＣインバータ１から外部に交流電力が出力されないようにブリッジ回路３９及びブリッジ回路５１の駆動を禁止すると共に、バッテリ５２を充電する際のブリッジ回路４５の駆動を許可する。
【００３５】
このように、可動式シャッタ３がプラグ５５のみをカバーする構成では、可動式シャッタ３がプラグ５５をカバーしていないとき、図２（ｃ）に示すように、プラグ５５とアウトレット５９とが接続可能で、かつ、アウトレット５６とプラグ６１とが接続可能となる。このような場合、図２（ｃ）の矢印Ｄが示すように、電源５８から出力される電流が双方向ＤＣ／ＡＣインバータ１側と負荷６０側にそれぞれ流れるため、バッテリ５２の充電動作を行いつつ負荷６０への交流電力出力も行うことができる。
【００３６】
また、上記実施形態では、筐体６にアウトレット５６が１つのみ設けられる構成であるが、筐体６にアウトレット５６が複数設けられてもよい。図２（ｄ）に示す例では、筐体６にアウトレット５６が３つ設けられている。
【００３７】
また、上記実施形態では、筐体６にプラグ５５とアウトレット５６とが設けられる構成であるが、プラグ５５とアウトレット５６とをそれぞれ別々の筐体に設けるようにしてもよい。図２（ｅ）に示す例では、プラグ５５が筐体６に設けられ、アウトレット５６が筐体１５に設けられている。
【００３８】
また、プラグ５５とアウトレット５９との接続やアウトレット５６とプラグ６１との接続を禁止する部材は、上述のスライド式の可動式シャッタ３以外にも、例えば、図２（ｆ）に示すように、軸Ｅで回転することにより開閉する扉式の蓋１６が考えられ、少なくともプラグ５５をカバーすることが可能で、かつ、プラグ５５をカバーしていないときマイクロスイッチ４（またはマイクロスイッチ５）やフォトセンサ７（またはフォトセンサ１１）から切替信号Ｓ２を出力させることが可能なものであれば特に限定されない。
【図面の簡単な説明】
【００３９】
【図１】本発明の実施形態の双方向ＤＣ／ＡＣインバータを示す図である。
【図２】他の実施例を示す図である。
【図３】既存の双方向ＤＣ／ＡＣインバータを示す図である。
【符号の説明】
【００４０】
１      双方向ＤＣ／ＡＣインバータ
２      制御回路
３      可動式シャッタ
４、５  マイクロスイッチ
６      筐体
７、１１  フォトセンサ
８、１２  発光部
９      樹脂窓
１０、１３  受光部
１４      窓掃除用ブラシ
１５      筐体
１６      蓋
３０      双方向ＤＣ／ＡＣインバータ
５５、６１  プラグ
５６、５９  アウトレット
５７      リレー
５８      電源
６０      負荷
【図１】
2007110857.tif 000003
【図２】
2007110857.tif 000004
【図３】
2007110857.tif 000005